(57)【要約】      （修正有）【課題】脚立の移動と昇り降りによる疲労を軽減し、手の届かない高所でも寸法計測ができ、弱視による高位置での寸法計測数値の視認性の低下を防止する。【解決手段】計測器具Ａと計測器具Ｂの構成を備えている。計測器具Ａ部分にては、大径計測パイプ１と、小径計測パイプ２のスライドによる計測する部分の計測数値を，当該基準点にたいする小径計測パイプの進出寸法を当該目盛から読み取ることによって当該一方の計測片に対する当該他方の計測片の離間距離を計測可能に構成してある。また計測器具Ｂ部分にては、当該計測片の先端に計測目盛付きロープを取付け、前記計測器具Ａ部分の小径計測パイプの先端に計測ロープの先端を取付け、計測器具Ａ部分の先端と計測器具Ｂ部分の先端との離間距離を計測可能に構成してある。【選択図】図５
0003126925.tif 000002
【実用新案登録請求の範囲】
【請求項１】
計測器具Ａと計測器具Ｂの機能とで構成してある計測器具であり、
計測器具Ａ部分には大径計測パイプと、
当該大径計測パイプに対してスライド可能な小径計測パイプと
当該小径計測パイプ先端部に設けた一方の計測片と、
当該大径計測パイプ先端部に設けた他方の計測片と、
当該大径計測パイプ基端部には、当該一方の計測片と当該他方の計測片とを接触させたときの当該大径計測パイプに対する当該小径計測パイプの相対位置を基準点とする目盛を設けてあり、
当該基準点にたいする小径計測パイプの進出寸法を当該目盛から読み取ることによって当該一方の計測片に対する当該他方の計測片の離間距離を計測可能に構成してある。
ことを特徴とする計測器具Ａ。
【請求項２】
前記大径計測パイプが、目盛を形成した透明又は半透明の合成樹脂材により構成してある。
ことを特徴とする請求項１記載の計測器具。
【請求項３】
前記目盛の基準点が、当該一方の計測片と当該他方の計測片とを接触させたときの前記小径計測パイプに設けた基準マーカーと一致させてある。
ことを特徴とする請求項２記載の計測器具Ａ。
【請求項４】
前記小径計測パイプの一方の計測片に計測間に合せる為のスライド用ロープをもうけてある。
ことを特徴とする請求項１記載の計測器具Ａ。
【請求項５】
前記計測器具Ａ部分の小径計測パイプの先端に計測ロープの先端を取付け、もう一方には計測器具Ｂ部分の計測片の先端に計測目盛付きロープを取付け、計測する幅に合せた計測器具Ａ部分の先端と計測器具Ｂ部分の先端との離間距離を計測可能に構成してある。
ことを特徴とする計測器具Ｂ。
【請求項６】
前記計測器具Ｂの小径計測パイプの先端に計測目盛付きロープを取付けスライドできる穴をもうけてある。
ことを特徴とする請求項５記載の計測器具Ｂ。
【請求項７】
前記計測器具Ｂの大径計測パイプに計測目盛シート取付け、数値０の位置に計測目盛付きロープ取付け用ガイドを設け、計測する幅に合せた計測器具Ａ部分の先端と計測器具Ｂ部分の先端との離間距離の寸法数値を、ロープ取付け用ガイドの位置で計測目盛を読み取れる構成にしてある。
ことを特徴とする請求項記載の計測器具Ｂ。
【請求項８】
前記計測器具Ａ部分の大径計測パイプに小径計測パイプのスライド止め用として硬質発砲樹脂の弾力を利用した固定具を設けている。
ことを特徴とする請求項１の計測器具Ａと請求項５の計測器具Ｂ。
【請求項９】
前記計測器具Ａ部分とＢ部分に取付けてある固定用硬質発砲樹脂は転びよけの為四角形状にしてある。
ことを特徴とする請求項１と請求項５記載の計測器具。
【考案の詳細な説明】
【技術分野】
【０００１】  本考案は、手の届かない高所における寸法計測する者の恐怖感の解消と利便性を高める為の寸法計測器具に関するものである。
【背景技術】
【０００２】  たとえば、職場において時代が進歩し計測機器の技術も高精度化されている中で、脚立の上に立ち、顔を上げなければならず足元を見ることができない恐怖感及び、脚立を計測場所へ運ぶ手間もいまだに変わらない、それは、精神的疲労感と作業効率の低下になっている。【０００３】  一般的に、時代が進歩しても高齢化の弱視による高い位置の計測目盛数値の視認性低下、車椅子利用者による手の届かない高所の寸法計測の断念、脚立及び高い台の昇り降りと高所での寸法計測による恐怖感はいまだに変っていない。
【考案の開示】
【考案が解決しようとする課題】
【０００４】  前記にての脚立の移動と昇り降りによる疲労、手の届かない高所寸法計測の断念性、弱視による高位置での寸法計測数値の視認性の低下、高所位置での寸法計測の恐怖感が、寸法計測の妨げの要素となる問題があった。
【課題を解決するための手段】
【０００５】  上記課題を解決するために本考案は計測器具Ａ部分と計測器具Ｂ部分の構成を備えている。
計測器具Ａ部分にては、大径計測パイプと、小径計測パイプのスライドによる計測する部分の計測数値を  当該基準点にたいする小径計測パイプの進出寸法を当該目盛から読み取ることによって当該一方の計測片に対する当該他方の計測片の離間距離を計測可能に構成してある。【０００６】  また計測器具Ｂ部分にては、当該計測片の先端に計測目盛付きロープを取付け、前記計測器具Ａ部分の小径計測パイプの先端に計測ロープの先端を取付け、計測器具Ａ部分の先端と計測器具Ｂ部分の先端との離間距離を計測可能に構成してある。
【考案の効果】
【０００７】・職場における多数の寸法計測による脚立の昇り降りの高所計測作業が減り、そのことにより疲労と恐怖感の低減で、作業効率が高まる。
・高齢の方の弱視による高位置の計測寸法数値の確認が容易になる。
・脚立及び台に乗らなくてすむ為、高所恐怖症の方の高所寸法計測における恐怖が無くなる。
・単純なパイプの伸縮とロープの引張りなので車椅子使用の方でも高所寸法計測を断念しなくてもすむようになる。）
・脚立及び台に乗らなくてすむ為、小子供たちの高所寸法計測が容易になり、なおかつ数値の計算がある為、自然と算数の勉強になる。
【考案を実施するための最良の形態】
【０００８】  以下に、本考案の実施例について図面を参照しながら詳しく説明する。
図１は本考案の分解斜視図、図２は本考案の実施例１の外観図、図３は本考案の実施例２の外観図、図４は本考案の実施例３の外観図、図５は本考案の断面図、図６は本考案の使用状態を示す説明図仕事編１、図７は本考案の使用状態を示す説明図仕事編２、図８は本考案の使用状態を示す説明図仕事編３、図９は本考案の使用状態を示す説明図仕事編４、図１０は本考案の使用状態を示す説明図仕事編５、図１１は本考案の使用状態を示す説明図仕事編６、図１２は本考案の使用状態を示す説明図仕事編７、図１３は本考案の使用状態を示す説明図身障者編１、図１４本考案の使用状態を示す説明図身障者編２、図１５は本考案の使用状態を示す説明図身障者編３、図１６は本考案の使用状態を示す説明図高齢者編１、図１７は本考案の使用状態を示す説明図高齢者編２、図１８は本考案の使用状態を示す説明図高齢者編３、図１９は本考案の使用状態を示す説明図子供編１、図２０は本考案の使用状態を示す説明図子供編２、図２１は本考案の使用状態を示す説明図子供編３、図２２は本考案の変形案である。
【実施例１】
【０００９】  まず、図１及び２に示すように、本考案うちの計測器具Ａ部分での、１の計測パイプ（太い合成樹脂透明パイプ）には、４の固定用硬質発砲樹脂（穴サイズＢ）と５の固定用硬質発砲樹脂（穴サイズＣ）と６の固定用硬質発砲樹脂（穴サイズＤ）と８のガイドプレートと９の計測目盛シートと１０の計測調整ロープ。
２の計測パイプ（細い合成樹脂透明パイプ）には、３の固定用硬質発砲樹脂（穴サイズＡ）と７のガイドプレートと１０の計測調整ロープと１１の延長用サポート合成樹脂パイプ。
【実施例２】
【００１０】  図１及び図４に示すように、計測器具Ｂ部分での、ａの計測パイプ（太い合成樹脂透明パイプ）には、ｄの固定用硬質発砲樹脂（穴サイズＢ）とｅの固定用硬質発砲樹脂（穴サイズＣ）とｆの固定用硬質発砲樹脂（穴サイズＤ）。
ｂの計測パイプ（細い合成樹脂透明パイプ）には、ｃの固定用硬質発砲樹脂（穴サイズＡ）とｄの固定用硬質発砲樹脂（穴サイズＢ）とｇのガイドプレートとｈの水平用寸法数値付ロープとｉの計測目盛シート。
上記の本考案の計測器具Ａ部分と計測器具Ｂ部分と併用して、手の届かない高所における寸法計測する者の恐怖感の解消と利便性を高めることができる。
【図面の簡単な説明】
【００１１】
【図１】本考案の分解斜視図。
【図２】本考案の実施例１の外観図。
【図３】本考案の実施例２の外観図。
【図４】本考案の実施例３の外観図。
【図５】本考案の断面図。
【図６】本考案の使用状態を示す説明図仕事編１
【図７】本考案の使用状態を示す説明図仕事編２
【図８】本考案の使用状態を示す説明図仕事編３
【図９】本考案の使用状態を示す説明図仕事編４
【図１０】本考案の使用状態を示す説明図仕事編５
【図１１】本考案の使用状態を示す説明図仕事編６
【図１２】本考案の使用状態を示す説明図仕事編７
【図１３】本考案の使用状態を示す説明図身障者編１
【図１４】本考案の使用状態を示す説明図身障者編２
【図１５】本考案の使用状態を示す説明図身障者編３
【図１６】本考案の使用状態を示す説明図高齢者編１
【図１７】本考案の使用状態を示す説明図高齢者編２
【図１８】本考案の使用状態を示す説明図高齢者編３
【図１９】本考案の使用状態を示す説明図子供編１
【図２０】本考案の使用状態を示す説明図子供編２
【図２１】本考案の使用状態を示す説明図子供編３
【図２２】本考案の変形図
【符号の説明】
【００１２】１    計測パイプ（太い合成樹脂透明パイプ）
２    計測パイプ（細い合成樹脂透明パイプ）
３    固定用硬質発砲樹脂（穴サイズＡ）
４    固定用硬質発砲樹脂（穴サイズＢ）
５    固定用硬質発砲樹脂（穴サイズＣ）
６    固定用硬質発砲樹脂（穴サイズＤ）
７    ガイドプレート
８    ガイドプレート
９    計測目盛シート
１０  計測調整ロープ
１１  延長用サポート合成樹脂パイプ
ａ    計測パイプ（太い合成樹脂透明パイプ）
ｂ    計測パイプ（細い合成樹脂透明パイプ）
ｃ    固定用硬質発砲樹脂（穴サイズＡ）
ｄ    固定用硬質発砲樹脂（穴サイズＢ）
ｅ    固定用硬質発砲樹脂（穴サイズＣ）
ｆ    固定用硬質発砲樹脂（穴サイズＤ）
ｇ    ガイドプレート
ｈ    水平用寸法数値付ロープ
ｉ    計測目盛シート
ｊ    計測数値読み取りガイド
【図１】
0003126925.tif 000003
【図２】
0003126925.tif 000004
【図３】
0003126925.tif 000005
【図４】
0003126925.tif 000006
【図５】
0003126925.tif 000007
【図６】
0003126925.tif 000008
【図７】
0003126925.tif 000009
【図８】
0003126925.tif 000010
【図９】
0003126925.tif 000011
【図１０】
0003126925.tif 000012
【図１１】
0003126925.tif 000013
【図１２】
0003126925.tif 000014
【図１３】
0003126925.tif 000015
【図１４】
0003126925.tif 000016
【図１５】
0003126925.tif 000017
【図１６】
0003126925.tif 000018
【図１７】
0003126925.tif 000019
【図１８】
0003126925.tif 000020
【図１９】
0003126925.tif 000021
【図２０】
0003126925.tif 000022
【図２１】
0003126925.tif 000023
【図２２】
0003126925.tif 000024
【手続補正書】
【提出日】平成18年8月14日(2006.8.14)
【手続補正１】
【補正対象書類名】実用新案登録請求の範囲
【補正対象項目名】全文
【補正方法】変更
【補正の内容】
【実用新案登録請求の範囲】
【請求項１】
多方向を計る計測器具の部分（Ａ−１）には大径計測パイプと、
当該大径計測パイプに対して同軸にスライド可能な小径計測パイプと
当該小径計測パイプ先端部に設けた一方の計測片と、
当該大径計測パイプ先端部に設けた他方の計測片と、
当該大径計測パイプ基端部には、当該一方の計測片と当該他方の計測片とを接触させたときの当該大径計測パイプに対する当該小径計測パイプの相対位置を基準点とする目盛を設けてあり、
当該基準点にたいする小径計測パイプの進出寸法を当該目盛から読み取ることによって当該一方の計測片に対する当該他方の計測片の離間距離を計測可能に構成してあることを特徴とする計測器具。
【請求項２】
前記大径計測パイプが、目盛を形成した透明又は半透明の合成樹脂材により構成してあることを特徴とする請求項１記載の計測器具。
【請求項３】
前記目盛の基準点が、当該一方の計測片と当該他方の計測片とを接触させたときの前記小径計測パイプに設けた基準マーカーと一致させてあることを特徴とする請求項１記載の計測器具。
【請求項４】
前記小径計測パイプの一方の計測片に計測物の下部に前記の大径計測パイプ側のガイドプレートを合せ、次に計測物の上部に小径計測パイプのガイドプレートを合せる為の同軸スライド用ロープをもうけてあることを特徴とする請求項１記載の計測器具。
【請求項５】
請求項１計測器具の部分（Ａ−２）の小径計測パイプ先端に計測目盛付きロープを取付け、計測器具の部分（Ａ−１）の小径計測パイプの先端に計測ロープの先端を取付け、計測する幅に合せた計測器具一方の先端と他方の先端との離間距離を計測可能に構成してあることを特徴とする請求項１の計測器具。
【請求項６】
請求項１の計測器具の部分（Ａ−１）の小径計測パイプの先端に計測目盛付きロープを取付けスライドできる穴をもうけてあることを特徴とする請求項１の計測器具。
【請求項７】
請求項１の計測器具の部分（Ａ−２）の大径計測パイプに計測目盛シート取付け、数値０の位置に計測目盛付きロープ取付け用ガイドを設け、計測する幅に合せた計測器具Ａ−１部分の先端と計測器具Ａ−２部分の先端との離間距離の寸法数値を、ロープ取付け用ガイドの位置で計測目盛を読み取れる構成にしてあることを特徴とする請求項１の計測器具。
【請求項８】
請求項１の計測器具の部分（Ａ−２）の大径計測パイプに小径計測パイプのスライド止め用として硬質発砲樹脂の弾力を利用した固定具を設けていることを特徴とする請求項１の計測器具。
【請求項９】
請求項１の計測器具の部分に取付けてある固定用硬質発砲樹脂は転びよけの為四角形状にしてあることを特徴とする請求項１の計測器具。
【手続補正２】
【補正対象書類名】明細書
【補正対象項目名】全文
【補正方法】変更
【補正の内容】
【考案の詳細な説明】
【技術分野】
【０００１】  本考案は、手の届かない高所における寸法計測する者の恐怖感の解消と利便性を高める為の寸法計測器具に関するものである。
【背景技術】
【０００２】  たとえば、職場において時代が進歩し計測機器の技術も高精度化されている中で、脚立の上に立ち、顔を上げなければならず足元を見ることができない恐怖感及び、脚立を計測場所へ運ぶ手間もいまだに変わらない、それは、精神的疲労感と作業効率の低下になっている。【０００３】  一般的に、時代が進歩しても高齢化の弱視による高い位置の計測目盛数値の視認性低下、車椅子利用者による手の届かない高所の寸法計測の断念、脚立及び高い台の昇り降りと高所での寸法計測による恐怖感はいまだに変っていない。
【考案の開示】
【考案が解決しようとする課題】
【０００４】  前記にての脚立の移動と昇り降りによる疲労、手の届かない高所寸法計測の断念性、弱視による高位置での寸法計測数値の視認性の低下、高所位置での寸法計測の恐怖感が、寸法計測の妨げの要素となる問題があった。
【課題を解決するための手段】
【０００５】  上記課題を解決するために本考案は計測器具の構成を備えている。
計測器具の部分（Ａ−１）にては、大径計測パイプと、同軸にスライド可能な小径計測パイプのスライドによる計測する部分の計測数値を  当該基準点にたいする小径計測パイプの進出寸法を当該目盛から読み取ることによって当該一方の計測片に対する当該他方の計測片の離間距離を計測可能に構成してある。【０００６】  計測器具の部分（Ａ−２）にては、当該計測片の先端に計測目盛付きロープを取付け、計測器具の部分（Ａ−１）の小径計測パイプの先端に計測ロープの先端を取付け、計測器具の部分（Ａ−１）の先端と計測器具の部分（Ａ−２）の先端との離間距離を計測可能に構成してある。
【考案の効果】
【０００７】・職場における多数の寸法計測による脚立の昇り降りの高所計測作業が減り、そのことにより疲労と恐怖感の低減で、作業効率が高まる。
・高齢の方の弱視による高位置の計測寸法数値の確認が容易になる。
・脚立及び台に乗らなくてすむ為、高所恐怖症の方の高所寸法計測における恐怖が無くなる。
・単純なパイプの伸縮とロープの引張りなので車椅子使用の方でも高所寸法計測を断念しなくてもすむようになる。）
・脚立及び台に乗らなくてすむ為、小子供たちの高所寸法計測が容易になり、なおかつ数値の計算がある為、自然と算数の勉強になる。
【考案を実施するための最良の形態】
【０００８】  以下に、本考案の実施例について図面を参照しながら詳しく説明する。
図１は本考案の分解斜視図、図２は本考案の実施例１の外観図、図３は本考案の実施例２の外観図、図４は本考案の実施例３の外観図、図５は本考案の断面図、図６は本考案の使用状態を示す説明図仕事編１、図７は本考案の使用状態を示す説明図仕事編２、図８は本考案の使用状態を示す説明図仕事編３、図９は本考案の使用状態を示す説明図仕事編４、図１０は本考案の使用状態を示す説明図仕事編５、図１１は本考案の使用状態を示す説明図仕事編６、図１２は本考案の使用状態を示す説明図仕事編７、図１３は本考案の使用状態を示す説明図身障者編１、図１４本考案の使用状態を示す説明図身障者編２、図１５は本考案の使用状態を示す説明図身障者編３、図１６は本考案の使用状態を示す説明図高齢者編１、図１７は本考案の使用状態を示す説明図高齢者編２、図１８は本考案の使用状態を示す説明図高齢者編３、図１９は本考案の使用状態を示す説明図子供編１、図２０は本考案の使用状態を示す説明図子供編２、図２１は本考案の使用状態を示す説明図子供編３、図２２は本考案の変形案である。
【実施例１】
【０００９】  まず、図１及び２に示すように、本考案うちの計測器具Ａ−１部分での、１の計測パイプ（太い合成樹脂透明パイプ）には、４の固定用硬質発砲樹脂（穴サイズＢ）と５の固定用硬質発砲樹脂（穴サイズＣ）と６の固定用硬質発砲樹脂（穴サイズＤ）と８のガイドプレートと９の計測目盛シートと１０の計測調整ロープ。
２の計測パイプ（細い合成樹脂透明パイプ）には、３の固定用硬質発砲樹脂（穴サイズＡ）と７のガイドプレートと１０の計測調整ロープと１１の延長用サポート合成樹脂パイプ。
【実施例２】
【００１０】  図１及び図４に示すように、計測器具の部分（Ａ−２）での、ａの計測パイプ（太い合成樹脂透明パイプ）には、ｄの固定用硬質発砲樹脂（穴サイズＢ）とｅの固定用硬質発砲樹脂（穴サイズＣ）とｆの固定用硬質発砲樹脂（穴サイズＤ）。
ｂの計測パイプ（細い合成樹脂透明パイプ）には、ｃの固定用硬質発砲樹脂（穴サイズＡ）とｄの固定用硬質発砲樹脂（穴サイズＢ）とｇのガイドプレートとｈの水平用寸法数値付ロープとｉの計測目盛シート。
上記の本考案の計測器具の部分（Ａ−１）と計測器具の部分（Ａ−２）と併用して、手の届かない高所における寸法計測する者の恐怖感の解消と利便性を高めることができる。
【図面の簡単な説明】
【００１１】
【図１】本考案の分解斜視図。
【図２】本考案の実施例１の外観図。
【図３】本考案の実施例２の外観図。
【図４】本考案の実施例３の外観図。
【図５】本考案の断面図。
【図６】本考案の使用状態を示す説明図仕事編１
【図７】本考案の使用状態を示す説明図仕事編２
【図８】本考案の使用状態を示す説明図仕事編３
【図９】本考案の使用状態を示す説明図仕事編４
【図１０】本考案の使用状態を示す説明図仕事編５
【図１１】本考案の使用状態を示す説明図仕事編６
【図１２】本考案の使用状態を示す説明図仕事編７
【図１３】本考案の使用状態を示す説明図身障者編１
【図１４】本考案の使用状態を示す説明図身障者編２
【図１５】本考案の使用状態を示す説明図身障者編３
【図１６】本考案の使用状態を示す説明図高齢者編１
【図１７】本考案の使用状態を示す説明図高齢者編２
【図１８】本考案の使用状態を示す説明図高齢者編３
【図１９】本考案の使用状態を示す説明図子供編１
【図２０】本考案の使用状態を示す説明図子供編２
【図２１】本考案の使用状態を示す説明図子供編３
【図２２】本考案の変形図
【符号の説明】
【００１２】１    計測パイプ（太い合成樹脂透明パイプ）
２    計測パイプ（細い合成樹脂透明パイプ）
３    固定用硬質発砲樹脂（穴サイズＡ）
４    固定用硬質発砲樹脂（穴サイズＢ）
５    固定用硬質発砲樹脂（穴サイズＣ）
６    固定用硬質発砲樹脂（穴サイズＤ）
７    ガイドプレート
８    ガイドプレート
９    計測目盛シート
１０  計測調整ロープ
１１  ガイドプレート硬質発砲樹脂
１２  延長用サポート合成樹脂パイプ
ａ    計測パイプ（太い合成樹脂透明パイプ）
ｂ    計測パイプ（細い合成樹脂透明パイプ）
ｃ    固定用硬質発砲樹脂（穴サイズＡ）
ｄ    固定用硬質発砲樹脂（穴サイズＢ）
ｅ    固定用硬質発砲樹脂（穴サイズＣ）
ｆ    固定用硬質発砲樹脂（穴サイズＤ）
ｇ    ガイドプレート
ｈ    水平用寸法数値付ロープ
ｉ    計測目盛シート
ｊ    計測数値読み取りガイド
ｋ    水平用寸法数値付ロープ調整用重り
【手続補正３】
【補正対象書類名】図面
【補正対象項目名】図１
【補正方法】変更
【補正の内容】
【図１】
0003126925.tif 000025
【手続補正４】
【補正対象書類名】図面
【補正対象項目名】図２
【補正方法】変更
【補正の内容】
【図２】
0003126925.tif 000026
【手続補正５】
【補正対象書類名】図面
【補正対象項目名】図３
【補正方法】変更
【補正の内容】
【図３】
0003126925.tif 000027
【手続補正６】
【補正対象書類名】図面
【補正対象項目名】図４
【補正方法】変更
【補正の内容】
【図４】
0003126925.tif 000028
【手続補正７】
【補正対象書類名】図面
【補正対象項目名】図５
【補正方法】変更
【補正の内容】
【図５】
0003126925.tif 000029
【手続補正８】
【補正対象書類名】図面
【補正対象項目名】図６
【補正方法】変更
【補正の内容】
【図６】
0003126925.tif 000030
【手続補正９】
【補正対象書類名】図面
【補正対象項目名】図７
【補正方法】変更
【補正の内容】
【図７】
0003126925.tif 000031
【手続補正１０】
【補正対象書類名】図面
【補正対象項目名】図８
【補正方法】変更
【補正の内容】
【図８】
0003126925.tif 000032
【手続補正１１】
【補正対象書類名】図面
【補正対象項目名】図９
【補正方法】変更
【補正の内容】
【図９】
0003126925.tif 000033
【手続補正１２】
【補正対象書類名】図面
【補正対象項目名】図１０
【補正方法】変更
【補正の内容】
【図１０】
0003126925.tif 000034
【手続補正１３】
【補正対象書類名】図面
【補正対象項目名】図１１
【補正方法】変更
【補正の内容】
【図１１】
0003126925.tif 000035
【手続補正１４】
【補正対象書類名】図面
【補正対象項目名】図１２
【補正方法】変更
【補正の内容】
【図１２】
0003126925.tif 000036
【手続補正１５】
【補正対象書類名】図面
【補正対象項目名】図１３
【補正方法】変更
【補正の内容】
【図１３】
0003126925.tif 000037
【手続補正１６】
【補正対象書類名】図面
【補正対象項目名】図１４
【補正方法】変更
【補正の内容】
【図１４】
0003126925.tif 000038
【手続補正１７】
【補正対象書類名】図面
【補正対象項目名】図１５
【補正方法】変更
【補正の内容】
【図１５】
0003126925.tif 000039
【手続補正１８】
【補正対象書類名】図面
【補正対象項目名】図１６
【補正方法】変更
【補正の内容】
【図１６】
0003126925.tif 000040
【手続補正１９】
【補正対象書類名】図面
【補正対象項目名】図１７
【補正方法】変更
【補正の内容】
【図１７】
0003126925.tif 000041
【手続補正２０】
【補正対象書類名】図面
【補正対象項目名】図１８
【補正方法】変更
【補正の内容】
【図１８】
0003126925.tif 000042
【手続補正２１】
【補正対象書類名】図面
【補正対象項目名】図１９
【補正方法】変更
【補正の内容】
【図１９】
0003126925.tif 000043
【手続補正２２】
【補正対象書類名】図面
【補正対象項目名】図２０
【補正方法】変更
【補正の内容】
【図２０】
0003126925.tif 000044
【手続補正２３】
【補正対象書類名】図面
【補正対象項目名】図２１
【補正方法】変更
【補正の内容】
【図２１】
0003126925.tif 000045
【手続補正２４】
【補正対象書類名】図面
【補正対象項目名】図２２
【補正方法】変更
【補正の内容】
【図２２】
0003126925.tif 000046